(57)【特許請求の範囲】
【請求項１】
容器の口部を包む包装紙に折り目を形成する折り目形成装置であって、
多角柱状の雄型と、この雄型が通過可能な貫通孔を有するとともに前記雄型の外側面に対向する内側面を有する雌型とを備え、
前記雌型の内側面が、上端から下端まで前記雄型の外側面に平行なストレート面に形成される第１群内側面と、この第１群内側面に隣接され、上端部が当該雌型の内方へ向けて傾斜する傾斜面に形成されその傾斜面に連設される下部が前記雄型の外側面に平行なストレート面に形成される第２群内側面とにより構成される
ことを特徴とする折り目形成装置。
【請求項２】
前記第２群内側面の傾斜面に隣接する前記第１群内側面の上端部が、これら第１群内側面および第２群内側面のストレート面同士の境界線に対して第２群内側面側に傾斜されている請求項１に記載の折り目形成装置。
【請求項３】
前記雌型の上面外縁部には、折り目が形成される包装紙の外周縁を案内するガイド部材が突設される請求項１または２に記載の折り目形成装置。
【発明の詳細な説明】
【技術分野】
【０００１】
本発明は、瓶詰め容器の口部を包む包装紙に折り目を形成する折り目形成装置に関するものである。
【背景技術】
【０００２】
従来、図２に示されるように、瓶詰め食品容器などの贈答用商品において、高級感や意匠的美観を生じさせる目的で、容器５１の口部に笠紙と称する包装紙５２を被せて容器５１の口部の周囲を紐状の止め具（図示せず）で縛るようにしたものが知られている。この種の商品の包装を行う際には、包装紙５２が正方形で容器口部が円形であるために、容器５１の頂部（口部）に対応する包装紙５２の中央部が多角形（図の例では正八角形）になるように包装紙５２の各辺を折り込み、かつ包装紙５２の角部と辺との間に襞５３が形成されるように折り込むことが必要になる。この場合、商品の性質上、外観の見栄えを損なわないようにする必要があることから、包装紙５２に皺や弛みを発生させることなく、しかも折り込み部の位置が中心点に対して点対称もしくは中心線に対して線対称に配されるように折り目を形成することが必要となる。
【０００３】
ところで、上述のような包装作業は、これまで手作業により行われてきた。しかしながら、この作業は非常に手間がかかるだけでなく、熟練を要する作業であり、また如何に習熟度の高い作業者であっても、その処理数は限られており、作業の効率化と作業者の負担の軽減が望まれているところである。
【発明の開示】
【発明が解決しようとする課題】
【０００４】
本発明は、このような事情に鑑みてなされたもので、瓶詰め容器の口部を包む包装紙に折り目を形成する作業を、熟練の作業者によらなくても、簡易な装置によって容易にかつ確実に行うことのできる折り目形成装置を提供することを目的とするものである。
【課題を解決するための手段】
【０００５】
前記目的を達成するために、本発明による折り目形成装置は、
容器の口部を包む包装紙に折り目を形成する折り目形成装置であって、
多角柱状の雄型と、この雄型が通過可能な貫通孔を有するとともに前記雄型の外側面に対向する内側面を有する雌型とを備え、
前記雌型の内側面が、上端から下端まで前記雄型の外側面に平行なストレート面に形成される第１群内側面と、この第１群内側面に隣接され、上端部が当該雌型の内方へ向けて傾斜する傾斜面に形成されその傾斜面に連設される下部が前記雄型の外側面に平行なストレート面に形成される第２群内側面とにより構成される
ことを特徴とするものである（第１発明）。
【０００６】
本発明において、前記第２群内側面の傾斜面に隣接する前記第１群内側面の上端部が、これら第１群内側面および第２群内側面のストレート面同士の境界線に対して第２群内側面側に傾斜されているのが好ましい（第２発明）。
【０００７】
また、前記雌型の上面外縁部には、折り目が形成される包装紙の外周縁を案内するガイド部材が突設されるのが好ましい（第３発明）。
【発明の効果】
【０００８】
本発明においては、折り目を形成すべき包装紙を雌型の上面に置いた状態で、雌型の貫通孔を通過させるように雄型を下降させると、雄型下面に包装紙の中央部が当接されるとともに、雄型の外側面の下端縁と雌型の内側面の上端縁との間に包装紙が挟み込まれ、雄型の下降動作が進むに連れて、雄型の外側面と雌型の内側面との間に包装紙の周縁部が徐々に挟まれつつその周縁部が立ち上がっていくことによりその包装紙に折り目が形成される。このとき、雌型の第１群内側面が上端から下端まで雄型の外側面に平行なストレート面に形成され、かつ第２群内側面の上端部に傾斜面が形成されているので、最初に第１群内側面に対応する包装紙の部位が立ち上がり、時間遅れをもって第２群内側面に対応する包装紙の部位が立ち上がることになる。この結果、第１群内側面に対応する包装紙の部位と第２群内側面に対応する包装紙の部位との境界部位に、第２群内側面に対応する包装紙の部位に向けて内側に折り込まれる襞が形成され、雄型の下降動作が進むに連れてその襞の箇所に明確な折り目線が形成され、雄型が雌型から抜け切ると、包装紙の中央部に容器の口部に合致する多角形状の折り目線が形成されるとともに、包装紙の周縁部に襞が形成されて、容器の口部に被せる形態の折り目が形成されることになる。
【０００９】
本発明によれば、熟練の作業者によらなくても、簡易な装置によって容易にかつ確実に容器の口部を包む包装紙に折り目を形成することができるので、作業者の手作業による煩雑な作業をなくすことができ、作業者の負担の軽減を図ることができるとともに、作業効率の向上を図ることができる。
【００１０】
前記第２発明の構成によれば、包装紙に襞を形成する動作がより確実に行えることになる。また、前記第３発明の構成によれば、ガイド部材によって包装紙の位置決めが確実に行えるので、折り目形成作業がより容易に行えることになる。
【発明を実施するための最良の形態】
【００１１】
次に、本発明による折り目形成装置の具体的な実施の形態について、図面を参照しつつ説明する。
【００１２】
図１には、本発明の一実施形態に係る折り目形成装置の全体構成を表す斜視図が示されている。また、図２には、本実施形態の折り目形成装置を用いて折り目の形成された包装紙を瓶詰め食品容器に被せた状態での斜視図が示されている。
【００１３】
本実施形態の折り目形成装置１は、図２に示されるように、瓶詰め食品容器５１の口部に包装紙５２を被せて容器５１の口部の周囲を紐状の止め具で縛ることによって商品を完成させる際に、その包装紙５２に折り目を形成するのに用いられる。図１に示されるように、この折り目形成装置１は、ベース２と、このベース２上に立設される支柱３と、この支柱３の中間部にクランパ４を介して装着される雌型５と、支柱３の上部に固定された支持ブロック３Ａに対して上下に摺動可能に支持され、雄型６および雄型駆動機構部７を保持する保持フレーム８とを備えている。前記雄型６の上部には鉛直方向に延びるロッド９の下端部が締結固定され、このロッド９が、保持フレーム８の前方に突き出すアーム部８ａの上面に固定されたガイド筒１０に案内されて上下に摺動できるようにされている。
【００１４】
前記ロッド９の上端部には水平方向に延設される第１取付部材１１が固定されるとともに、中間部には第２取付部材１２が固定されている。そして、第１取付部材１１の基端部には、前記保持フレーム８の上面に立設されるポール１３を案内するガイド部１１ａが形成され、また、ポール１３の外周面には圧縮コイルばね１３Ａが巻き付けられている。また、支柱３の上部外周面には、保持フレーム８が支持ブロック３Ａに対して下降された際に、その保持フレーム８を上昇待機位置に復帰させるための復元力を蓄勢する圧縮コイルばね１４が巻き付けられている。
【００１５】
次に、雄型駆動機構部７について説明する。この雄型駆動機構部７は、前記保持フレーム８に枢軸１５により回動自在に連結されたハンドル１６と、一端部がハンドル１６の中間部に固定された第１アーム１７と、下端部が第１アーム１７の他端部に回動自在に連結されるとともに、上端部が前記第２取付部材１２に回動自在に連結された第２アーム１８と、上端部がハンドル１６の基端部に回動自在に連結されるとともに、下端部が支持ブロック３Ａに回動自在に連結される第３アーム１９とから構成されている。
【００１６】
この雄型駆動機構部７においては、ハンドル１６を図で矢印Ｐ方向に操作すると、このハンドル１６が枢軸１５周りに回動されることにより、保持フレーム８が圧縮コイルばね１４を圧縮しつつ支持ブロック３Ａに対して下降されるとともに、ハンドル１６の回動力により第１アーム１７および第２アーム１８を介して第２取付部材１２が鉛直下向きに押し下げられ、この第２取付部材１２に固定されたロッド９がガイド筒１０に沿って鉛直下方に向けて移動されて雄型６が下降される。こうして、ロッド９の下降ストロークとして、保持フレーム８の下降ストロークの略２倍のストロークを得ることができる。また、保持フレーム８が下降されることにより、圧縮コイルばね１４が圧縮されて復元力が蓄勢され、ハンドル１６への操作力を解除すると、この圧縮コイルばね１４の付勢力によって保持フレーム８およびロッド９が上昇待機位置に復帰される。なお、ロッド９の下降時には、ポール１３が第１取付部材１１のガイド部１１ａに沿って案内・摺動されることにより、ロッド９の下降動作がスムーズに行われるようになっている。
【００１７】
次に、雌型５および雄型６の詳細構成について説明する。図３には、雄型６および雌型５の斜視図が示され、図４には、雌型５の平面図（ａ）とそのＡ−Ａ線断面図（ｂ）が示されている。
【００１８】
雄型６はロッド９の下端部に装着固定されてなり、本実施形態では八角柱形状とされている。この雄型６の外側面は、互いに対向する１つ置きの第１群外側面２０と、同じく互いに対向する１つ置きの第２群外側面２１とよりなり、第１群外側面２０の幅Ｗ１が第２群外側面２１の幅Ｗ２に対してやや短くなるように形成されている。
【００１９】
一方、雌型５は、中央部に雄型６との間に所定のクリアランスを存してその雄型６が通過可能な貫通孔２２を有するとともに、この貫通孔２２の内側面が雄型６の外側面２０，２１にそれぞれ対向するように形成されている。ここで、雌型５の高さは、雄型６の高さよりやや大きめに形成されている。
【００２０】
前記雌型５の内側面は、雄型６の第１群外側面２０に対応する第１群内側面２３と、雄型６の第２群外側面２１に対応する第２群内側面２４とよりなり、雄型６の外側面２０，２１の幅に対応させて、第１群内側面２３の幅Ｗ３が第２群内側面２４の幅Ｗ４に対してやや短くなるように形成されている。
【００２１】
第１群内側面２３は、上端から下端まで前記雄型６の外側面に平行なストレート面に形成され、第２群内側面２４は、上端部が雌型５の内方へ向けて傾斜する傾斜面２４ａに形成され、この傾斜面２４ａに連設される下部が前記雄型６の外側面に平行なストレート面２４ｂに形成されている。ここで、前記第２群内側面２４のストレート面２４ｂは、第１群内側面２３のストレート面に対して鉛直境界線２５を介して連続する平面にされ、前記第２群内側面２４の傾斜面２４ａは、第１群内側面２３のストレート面に対して段下がり状の平面にされている。
【００２２】
また、図４（ｂ）に示されるように、第２群内側面２４の傾斜面２４ａに隣接する第１群内側面２３の上端部両側縁の稜線２６，２７は、鉛直境界線２５に対して第２群内側面２４側に傾斜する（上方へ向けて拡開する）形状とされ、これによってそれら稜線２６，２７に連続する第１群内側面２３と傾斜面２４ａとの境界面２８は、鉛直面に対して傾斜面２４ａ側に倒れた三角形状傾斜面となっている。このような構成によれば、後述するように包装紙５２に襞５３を形成する際に、包装紙５２が境界面（三角形状傾斜面）２８に沿うように移動することになり、その折り目形成動作がより確実に行えることになる。
【００２３】
一方、前記雌型５の上面外縁部には、包装紙５２の２辺の外周縁を案内するガイド部材２９が突設され、このガイド部材２９によって包装紙５２の位置決めが確実に行えるようにされている。
【００２４】
次に、以上のような構成よりなる折り目形成装置１を用いて、包装紙５２に折り目を形成する動作について説明する。
【００２５】
まず、折り目を形成すべき包装紙（本実施形態では正方形の包装紙）５２を雌型５の上面に外縁部のガイド部材２９に沿うように置く。この状態で、ハンドル１６を図１で矢印Ｐ方向に操作すると、第２取付部材１２およびそれに固定されたロッド９がガイド筒１０に沿って鉛直下方に向けて移動されることにより雄型６が下降される。すると、雄型６が雌型５の貫通孔２２内に入ろうとする際に、雄型６の下面が包装紙５２の中央部に当接され、図５に示されるように、雄型６の外側面の下端縁と雌型５の内側面の上端縁との間に包装紙５２が挟み込まれ、雄型６の下降動作が進むに連れて、雄型６の外側面と雌型５の内側面との間に包装紙５２の周縁部が徐々に挟まれつつその周縁部が立ち上がっていく。
【００２６】
ここで、雌型５の第１群内側面２３が上端から下端まで雄型６の第１群外側面２０に平行なストレート面に形成され、雌型５の第２群内側面２４の上端部に傾斜面２４ａが形成されているので、雄型６の下降動作が進んでいくと、図６，図７に示されるように、最初に雌型５の第１群内側面２３の上端縁と雄型６の第１群外側面２０とに包装紙５２が挟み込まれて、その第１群内側面２３に対応する包装紙部位（包装紙５２の辺部に対応する部位）５２ａが立ち上がり、時間遅れをもって第２群内側面２４の傾斜面２４ａの下端縁と雄型６の第２群外側面２１とに包装紙５２が挟み込まれて、その第２群内側面２４に対応する包装紙部位（包装紙５２のコーナ部に対応する部位）５２ｂが立ち上がることになる。
【００２７】
また、この第２群内側面２４に対応する包装紙部位５２ｂが立ち上がる際に、第１群内側面２３の上端部両側縁の稜線２６，２７が鉛直境界線２５に対して第２群内側面２４側に傾斜した形状とされているので、第１群内側面２３に対応する包装紙部位５２ａと第２群内側面２４に対応する包装紙部位５２ｂとの境界領域にある包装紙部位は、第１群内側面２３と傾斜面２４ａとの境界面２８に沿うように移動し、この境界領域部位が第２群内側面２４に対応する包装紙部位５２ｂに向けて内側に折り込まれることにより、この包装紙部位５２ｂの両側に襞５３（図７参照）が形成されることになる。
【００２８】
更に雄型６の下降動作が進んでいくと、第２群内側面２４に対応する包装紙部位５２ｂおよび襞５３が第２群内側面２４のストレート面２４ｂと雄型６の第２群外側面２１との間に挟み込まれることによって、襞５３の箇所に明確な折り目線が形成され、雄型６が雌型５の貫通孔２２内から抜け切ると、包装紙５２の中央部に容器の口部に合致する八角形状の折り目線が形成されるとともに、包装紙の周縁部に明確な襞５３が形成されて、容器の口部に被せる形態の折り目が形成されることになる（図２参照）。
【００２９】
以上のように、本実施形態の折り目形成装置１によれば、従来のように熟練の作業者によらなくても、包装紙５２を雌型５上に載置、位置決めしてハンドル１６を回動操作するという単純な作業で容易かつ確実に容器の口部を包む包装紙に折り目を形成することができる。したがって、作業者の手作業による煩雑な作業をなくすことができ、作業者の負担の軽減を図ることができるとともに、作業効率の向上を図ることができる。
【００３０】
上述の実施形態では、雄型６を八角柱形状としたものを説明したが、この雄型は、偶数の頂点を有する多角柱形状であれば四角柱でも六角柱でも十角柱以上であっても良い。なお、雌型については雄型の形状に合わせて変更されるのは言うまでもない。
【００３１】
上記実施形態においては、第１群内側面２３の上端部両側縁の稜線２６，２７を第２群内側面２４側に傾斜させたものを説明したが、これら稜線２６，２７については鉛直線に形成しても上記実施形態とほぼ同様の作用効果を得ることができる。
【図面の簡単な説明】
【００３２】
【図１】本発明の一実施形態に係る折り目形成装置の全体構成を表す斜視図
【図２】本実施形態の折り目形成装置を用いて折り目の形成された包装紙を瓶詰め食品容器に被せた状態での斜視図
【図３】雄型および雌型の斜視図
【図４】雌型の平面図（ａ）およびそのＡ−Ａ線断面図（ｂ）
【図５】包装紙の折り目形成手順説明図（１）
【図６】包装紙の折り目形成手順説明図（２）
【図７】包装紙の折り目形成手順説明図（３）
【符号の説明】
【００３３】
１    折り目形成装置
６    雄型
７    雄型駆動機構部
８    保持フレーム
９    ロッド
１６    ハンドル
２０    第１群外側面
２１    第２群外側面
２３    第１群内側面
２４    第２群内側面
２４ａ  傾斜面
２４ｂ  ストレート面
２５    鉛直境界線
２６，２７    稜線
２８    境界面
２９    ガイド部材
【図１】
0005041939.tif 000002
【図２】
0005041939.tif 000003
【図３】
0005041939.tif 000004
【図４】
0005041939.tif 000005
【図５】
0005041939.tif 000006
【図６】
0005041939.tif 000007
【図７】
0005041939.tif 000008